(57)【要約】【課題】適切な力で指が押し当てられていることをより高い精度で判定する。【解決手段】本脈波測定装置は、光を透過する部材で形成され、指が押し当てられる透光板と、前記指に対して前記透光板越しに赤外光を照射して脈波を測定する測定部と、波長４９０ｎｍ以上５７０ｎｍ以下の範囲にピーク波長を有する緑光を前記透光板越しに前記指に照射する照射部と、照射した前記緑光の前記指からの反射光を受光し、前記反射光の強度を検出する検出部と、前記透光板に前記指を押し当てる力が前記脈波の測定に好適な所定範囲内であることを前記反射光の強度が示す場合に、前記測定部に前記脈波の測定を実行させる実行部と、を備える。【選択図】図１
2020058519.tif 000002
【特許請求の範囲】
【請求項１】
光を透過する部材で形成され、指が押し当てられる透光板と、
前記指に対して前記透光板越しに赤外光を照射して脈波を測定する測定部と、
波長４９０ｎｍ以上５７０ｎｍ以下の範囲にピーク波長を有する緑光を前記透光板越しに前記指に照射する照射部と、
照射した前記緑光の前記指からの反射光を受光し、前記反射光の強度を検出する検出部と、
前記透光板に前記指を押し当てる力が前記脈波の測定に好適な所定範囲内であることを前記反射光の強度が示す場合に、前記測定部に前記脈波の測定を実行させる実行部と、を備える、
脈波測定装置。
【請求項２】
前記検出部は、前記緑光が照射されてから前記赤外光が照射されるまでの間の少なくとも一部の期間において、前記反射光の強度を検出可能な状態に遷移する、
請求項１に記載の脈波測定装置。
【請求項３】
前記実行部は、前記反射光の強度が前記所定範囲外であることを示す場合に、前記測定部による前記赤外光の照射を抑制する、
請求項１または２に記載の脈波測定装置。
【請求項４】
前記実行部は、前記反射光の強度が前記所定範囲外であることを示す場合に、前記透光板に前記指を押し当てる力が前記所定範囲外であることをユーザに通知する、
請求項１から３のいずれか一項に記載の脈波測定装置。
【発明の詳細な説明】
【技術分野】
【０００１】
本発明は、脈波測定装置に関する。
【背景技術】
【０００２】
押し当てられた指に対して赤外光を照射し、指からの反射光に基づいて脈波を測定する脈波検出装置が利用されている。
【先行技術文献】
【特許文献】
【０００３】
【特許文献１】特開２０１６−３６４１１号公報
【発明の概要】
【発明が解決しようとする課題】
【０００４】
指が適切な力で押し当てられていない場合には脈波の検出精度が低下するため、脈波検出装置は、指先が適切な力で押し当てられているか否かを脈波の測定前に判定する。このような判定は、押し当てられた指に白色光を照射して撮影した指先の画像の色を基に行われた。
【０００５】
本件発明者は、鋭意研究した結果、このような技術では以下のような課題があることを見出した。まず、照射された白色光は指内部の動脈にまで達するため、撮影された画像では赤色が強くでる傾向にあることが判明した。その結果として、指が強く押し当てられたために赤い画像が得られた場合と、指が適切な力で押し当てられているにも関わらず白色光が動脈まで達した結果として赤い画像が得られた場合とを脈波検出装置が識別することは困難となる。また、皮膚の色が濃い人は皮膚の色の薄い人よりも指先の色味の変化が乏しくなるため、指を押し当てる力が適切であるか否かを脈波検出装置が判定することは困難となる。
【０００６】
開示の技術の１つの側面は、適切な力で指が押し当てられていることをより高い精度で判定可能な脈波測定装置を提供することを目的とする。
【課題を解決するための手段】
【０００７】
開示の技術の１つの側面は、次のような脈波測定装置によって例示される。本脈波測定装置は、光を透過する部材で形成され、指が押し当てられる透光板と、前記指に対して前記透光板越しに赤外光を照射して脈波を測定する測定部と、波長４９０ｎｍ以上５７０ｎｍ以下の範囲にピーク波長を有する緑光を前記透光板越しに前記指に照射する照射部と、照射した前記緑光の前記指からの反射光を受光し、前記反射光の強度を検出する検出部と、前記透光板に前記指を押し当てる力が前記脈波の測定に好適な所定範囲内であることを前記反射光の強度が示す場合に、前記測定部に前記脈波の測定を実行させる実行部と、を備える。
【発明の効果】
【０００８】
本脈波測定装置は、適切な力で指が押し当てられていることをより高い精度で判定することができる。
【図面の簡単な説明】
【０００９】
【図１】図１は、第１実施形態に係る脈波測定装置の一例を示す図である。
【図２】図２は、指に照射する光の波長と、照射した光が到達する指内部の深さとの関係を模式的に示す図である。
【図３】図３は、第１実施形態における、透光板に指を押し当てる力の強さと、受光部が受光する緑光の反射光の強度と、測定される脈波との対応の一例を示す図である。
【図４】図４は、第１実施形態に係る脈波測定装置のタイミングチャートの一例である。
【図５】図５は、第１実施形態に係る脈波測定装置の処理フローの一例を示す図である。
【図６】図６は、比較例に係る脈波測定装置の一例を示す図である。
【図７】図７は、比較例における、透光板に指を押し当てる力の強さと、カメラセンサが撮影した指の色における赤色の強さと、測定される脈波との対応の一例を示す図である。
【発明を実施するための形態】
【００１０】
以下、実施形態について説明する。以下に示す実施形態の構成は例示であり、開示の技術は実施形態の構成に限定されない。本実施形態に係る脈波測定装置は、例えば、以下の構成を有する。
【００１１】
（脈波測定装置の構成）
光を透過する部材で形成され、指が押し当てられる透光板と、
前記指に対して前記透光板越しに赤外光を照射して脈波を測定する測定部と、
波長４９０ｎｍ以上５７０ｎｍ以下の範囲にピーク波長を有する緑光を前記透光板越しに前記指に照射する照射部と、
照射した前記緑光の前記指からの反射光を受光し、前記反射光の強度を検出する検出部と、
前記透光板に前記指を押し当てる力が前記脈波の測定に好適な所定範囲内であることを前記反射光の強度が示す場合に、前記測定部に前記脈波の測定を実行させる実行部と、を備える、
脈波測定装置。
【００１２】
本脈波測定装置は、透光板に押し当てられた指に光を照射して脈波を測定する。本脈波測定装置は、照射部が照射した緑光の反射光の強度を基に、指を押し当てる力が脈波の測定に好適であるか否かを判定する。照射部が照射する緑光は、波長４９０ｎｍ以上５７０ｎｍ以下の範囲にピーク波長を有する。このような波長帯域にピーク波長を有する緑光が指に照射されると、照射された緑光が指内部の毛細血管にまで到達する一方で、毛細血管の奥に位置する動脈や静脈にはあまり到達しない。そのため、指に照射された緑光のうち、血液に吸収される緑光の量、換言すれば、指で反射して検出部で検出される反射光の強度は、毛細血管内を流れる血流量に応じて変化する。
【００１３】
透光板に指を押し当てる力が強い場合には毛細血管が潰れて毛細血管内を流れる血流量が減少し、透光板に指を押し当てる力が弱い場合には毛細血管が潰れないため、指を押し当てる力が強い場合に比べ、毛細血管内を流れる血流量が増加する。この血流量の変化は、指を押し当てる力に応じて略線形に変化する。そのため、このような実施形態によれば、透光板に指を押し当てる力による毛細血管内の血流量の変化を反射光の強度として検出することで、適切な力で指が押し当てられていることをより高い精度で判定可能となる。
【００１４】
本実施形態は、次の特徴を有してもよい。前記検出部は、前記緑光が照射されてから前記赤外光が照射されるまでの間の少なくとも一部の期間において、前記反射光の強度を検出可能な状態に遷移する特徴を有してもよい。このような特徴を有することで、検出部を作動させたままにしておく場合よりも脈波測定装置の消費電力を抑制できる。
【００１５】
開示の技術は次の特徴を有してもよい。前記実行部は、前記反射光の強度が前記所定範囲外であることを示す場合に、前記測定部による前記赤外光の照射を抑制する。このような特徴を有することで、脈波の測定に適していない状況で脈波の測定が行われることが抑制される。
【００１６】
本実施形態は、次の特徴を有してもよい。前記実行部は、前記反射光の強度が前記所定範囲外であることを示す場合に、前記透光板に前記指を押し当てる力が前記所定範囲外であることをユーザに通知する。このような特徴を有することで、ユーザに指を押し当てる力の修正を促すことができる。
【００１７】
以下、図面を参照して、本実施形態についてさらに説明する。
【００１８】
＜第１実施形態＞
図１は、第１実施形態に係る脈波測定装置の一例を示す図である。第１実施形態に係る脈波測定装置１は、押し当てられた指先に光を照射して脈波を測定する装置である。脈波測定装置１は、Central Processing Unit（ＣＰＵ）１１、記憶部１２、測定部１３、表
示部１４、操作部１５および電源部１６を備える。図１では、脈波の測定対象となる指Ｆも例示されている。
【００１９】
測定部１３は、発光部１３１、受光部１３２、制御部１３３、変換部１３４および透光板１３５を含む。透光板１３５は、脈波の測定対象となる指Ｆの腹（指先において爪と反対側の面）が押し当てられる部材であり、光を透過する部材で形成される。透光板１３５は、「透光板」の一例である。
【００２０】
制御部１３３は、ＣＰＵ１１からの指示により、緑光または赤外光のいずれかの光を発光部１３１に出射させる。発光部１３１は、赤外光を出射する赤外光発光部１３１１および赤外光より短い波長の緑光を出射する緑光発光部１３１２を含む。発光部１３１は、制御部１３３からの指示により、緑光または赤外光を出射する。発光部１３１から出射された光は透光板１３５に押し当てられた指に照射される。指に照射された光の一部は指内部の血管内を流れる血液に吸収される。指に照射された光のうち、吸収されなかった一部は反射し、その反射光は受光部１３２によって受光される。
【００２１】
緑光発光部１３１２は、例えば、４９０ｎｍから５７０ｎｍの範囲にピーク波長を有する緑光を発光する。緑光発光部１３１２の発光によって出射された緑光は、透光板１３５を介して透光板１３５に押し当てられた指Ｆに照射される。緑光発光部１３１２は、例えば、緑光を出射するLight Emitting Diode（ＬＥＤ）である。赤外光発光部１３１１は、赤外光で発光する。赤外光発光部１３１１の発光によって出射された赤外光は、透光板１３５を介して透光板１３５に押し当てられた指Ｆに照射される。赤外光発光部１３１１は、例えば、赤外光を出射するＬＥＤである。発光部１３１は、「照射部」の一例である。
【００２２】
受光部１３２は、発光部１３１から出射された緑光または赤外光が透光板１３５に押し当てられた指Ｆによって反射された反射光を受光する。受光部１３２は、受光した光を電流に変換し、変換した電流を変換部１３４に出力する。受光部１３２は、緑光の反射光を受光して電流を出力可能な第１状態と、赤外光の反射光を受光して電流を出力可能な第２状態とを時分割で切り替える。すなわち、受光部１３２は、第１状態である期間は、受光した緑光の反射光の強度に応じた電流を出力する一方、赤外光の反射光を受光しても電流を出力しない。また、受光部１３２は、第２状態である期間は、受光した赤外光の反射光の強度に応じた電流を出力する一方、緑光の反射光を受光しても電流を出力しない。受光部１３２は、例えば、PhotoDiodeまたはPhotoDetectorを有する。
【００２３】
変換部１３４は、電流・電圧変換部１３４１、増幅部１３４２およびAnalog/Digital（Ａ／Ｄ）変換部１３４３を含む。変換部１３４は、受光部１３２から入力される電流をデジタル信号に変換してＣＰＵ１１に出力する。
【００２４】
電流・電圧変換部１３４１は、受光部１３２から入力される電流を電圧に変換する。電流・電圧変換部１３４１は、変換した電圧を増幅部１３４２に出力する。増幅部１３４２は、電流・電圧変換部１３４１から入力された電圧を増幅する。増幅部１３４２は、増幅した電圧をＡ／Ｄ変換部１３４３に出力する。Ａ／Ｄ変換部１３４３は、増幅部１３４２から入力される電圧をデジタル信号に変換する。変換されたデジタル信号は、増幅部１３４２から入力された電圧の強度を示す信号である。換言すれば、変換されたデジタル信号は、受光部１３２が受光した反射光の強度を示すということができる。Ａ／Ｄ変換部１３４３は、変換したデジタル信号をＣＰＵ１１に出力する。受光部１３２および変換部１３４は、「測定部」の一例である。
【００２５】
ＣＰＵ１１は、記憶部１２に記憶されたプログラムにしたがって、脈波測定装置１の各種制御を行う。ＣＰＵ１１は、マイクロプロセッサユニット（ＭＰＵ）、プロセッサとも呼ばれる。ＣＰＵ１１は、単一のプロセッサに限定される訳ではなく、マルチプロセッサ構成であってもよい。また、単一のソケットで接続される単一のＣＰＵ１１がマルチコア構成を有していても良い。ＣＰＵ１１は、例えば、操作部１５を介して受け付けた被測定者からの指示にしたがって、測定部１３および表示部１４を制御する。
【００２６】
ＣＰＵ１１は、例えば、制御部１３３を制御して発光部１３１の緑光発光部１３１２に緑光を出射させる。ＣＰＵ１１は、Ａ／Ｄ変換部１３４３から受信したデジタル信号に基づいて、緑光の反射光の強度を測定する。ＣＰＵ１１は、透光板１３５に押し当てられた指Ｆからの緑光の反射光の強度に基づいて、透光板１３５に指Ｆを押し当てる力が適正であるか否かを判定する。ＣＰＵ１１は、透光板１３５に指Ｆを押し当てる力が適切であると判定すると、制御部１３３を制御して発光部１３１の赤外光発光部１３１１に赤外光を出射させる。ＣＰＵ１１は、透光板１３５に押し当てられた指Ｆからの赤外光の反射光の強度に基づいて、脈波を測定する。ＣＰＵ１１は、「測定部」および「実行部」の一例である。
【００２７】
記憶部１２は、ＣＰＵ１１から直接アクセスされる記憶部として例示される。記憶部１２には、例えば、透光板１３５に指を押し当てる力の、脈波の測定に好適な範囲が記憶される。また、記憶部１２には、Ａ／Ｄ変換部１３４３からＣＰＵ１１に入力されるデジタル信号と脈の強度との対応関係が記憶される。
【００２８】
記憶部１２は、Random Access Memory（ＲＡＭ）およびRead Only Memory（ＲＯＭ）を含む。記憶部１２は、Erasable Programmable ROM（ＥＰＲＯＭ）、ソリッドステートド
ライブ（Solid State Drive、ＳＳＤ）、ハードディスクドライブ（Hard Disk Drive、ＨＤＤ）等の外部記憶装置を含んでもよい。
【００２９】
表示部１４は、ＣＰＵ１１からの指示により、各種情報を表示する。表示部１４は、例えば、透光板１３５に指を押し当てる力が適正であるか否かを示す情報および測定した脈波を示す情報を表示する。表示部１４は、例えば、Cathode Ray Tube（ＣＲＴ）ディスプレイ、Liquid Crystal Display（ＬＣＤ）、Plasma Display Panel（ＰＤＰ）、Electroluminescence（ＥＬ）パネルまたは有機ＥＬパネルである。
【００３０】
操作部１５は、脈波測定装置１のユーザからの操作を受け付ける。脈波測定装置１は、操作部１５を介して入力されるユーザの指示にしたがって、脈波の測定を開始する。操作部１５は、例えば、キーボード、ポインティングデバイス、タッチパネルあるいは音声入
力装置である。
【００３１】
電源部１６は、脈波測定装置１に電力を供給する。電源部１６は、一次電池であっても二次電池であってもよい。また、脈波測定装置１は、家庭用の電源コンセントから電力を供給されてもよい。
【００３２】
（光の波長と指内部への到達距離）
図２は、透光板に押し当てた指に照射する光の波長と、照射した光が到達する指内部の深さとの関係を模式的に示す図である。図２の縦軸は、照射した光が到達する指Ｆ内部の深さ（単位：μｍ）、横軸は光の波長（単位：ｎｍ）である。図２に模式的に示すように、指Ｆ内部の血管は、動脈Ｂおよび動脈Ｂから皮膚表面に向けて延びる毛細血管Ｍを含む。なお、図２では動脈および静脈を代表して動脈Ｂを図示し、静脈の図示は省略している。図２（Ａ）は透光板１３５に指Ｆを押し当てる力が脈波の測定に好適な場合を例示し、図２（Ｂ）は透光板１３５に指Ｆを押し当てる力が脈波の測定には強すぎる場合を例示する。
【００３３】
図２を参照すると理解できるように、波長が長い光ほど指Ｆの深部にまで到達する。ここで、波長４９０ｎｍから５７０ｎｍ程度の緑光は、指Ｆの表面から２３０μｍ程度の深さまで到達することがわかる。指Ｆの表面から２３０μｍ程度の深さは、指Ｆの内部において毛細血管Ｍに到達するとともに、毛細血管Ｍの奥に位置する動脈Ｂにはあまり到達しない深さである。そのため、指Ｆに緑光を照射したときに受光部１３２が受光する反射光の強度は、毛細血管Ｍ内を流れる血流量に応じて変化する。
【００３４】
図２（Ａ）と図２（Ｂ）とを比較すると理解できるように、透光板１３５に指Ｆを強く押し当てると、指Ｆの内部の毛細血管Ｍが押し潰されて細くなり、毛細血管Ｍに流入する血流量が減少する。また、透光板１３５に指を押し付ける力が弱くなるほど、毛細血管Ｍほとんど潰れなくなるため、毛細血管Ｍに流入する血流量が増加する。上述の通り、指に緑光を照射したときに受光部１３２が受光する反射光の強度は、毛細血管Ｍ内を流れる血流量に応じて変化する。そのため、透光板１３５に指Ｆが強く押し付けられたときには毛細血管Ｍ内の血液に吸収される緑光の量が減少し、受光部１３２が受光する反射光の強度が高くなる。また、透光板１３５に指Ｆが弱く押し付けられたときには毛細血管Ｍ内の血液に吸収される緑光の量が増加し、受光部１３２が受光する反射光の強度が低くなる。すなわち、受光部１３２が受光する緑光の反射光の強度は、透光板１３５に指Ｆを押し当てる力の強さに応じて変化する。
【００３５】
図３は、第１実施形態における、透光板に指を押し当てる力の強さと、受光部が受光する緑光の反射光の強度と、測定される脈波との対応の一例を示す図である。図３では、上段のグラフが反射光の強度を例示し、下段のグラフが測定される脈波の波形を例示する。上段のグラフでは、縦軸が反射光の強度であり、横軸が時間である。また、下段のグラフでは、縦軸が脈の強さであり、横軸が時間である。図３では、透光板に指Ｆを押し当てる力が「弱い」場合、「適切」な場合および「強い」場合の３通りが例示される。
【００３６】
図３の上段のグラフを参照すると理解できるように、反射光の強度は、指Ｆを押し当てる力の強さに応じて略線形に変化する。換言すれば、反射光の強度は、指Ｆを押し当てる力の強さに略比例して変化するということもできる。すなわち、指Ｆを押し当てる力が強くなるほど反射光の強度は高くなり、指Ｆを押し当てる力が弱くなるほど反射光の強度は低くなる。
【００３７】
また、図３を参照すると理解できるように、脈波測定装置１は、透光板１３５に指Ｆを押し当てる力が適切である場合には、ノイズの少ない脈波を測定することができる。しか
しながら、透光板１３５に指Ｆを押し当てる力が弱い場合には測定される脈波にノイズ成分が多くなる（波形がきれいにでなくなる）。また、透光板１３５に指Ｆを押し当てる力が強い場合には脈波の波形が出なくなる。そこで、本実施形態では、受光部１３２が受光する緑光の反射光の強度に基づいて透光板１３５に指Ｆを押し当てる力が適切であるか否かを判定し、適切であると判定されたときに脈波の測定が行われる。なお、透光板１３５に指Ｆを押し当てる力が適切であると判定する反射光の強度の範囲は実験等によって決定され、決定された範囲は記憶部１２に記憶されればよい。
【００３８】
（タイミングチャート）
図４は、第１実施形態に係る脈波測定装置のタイミングチャートの一例である。図４のタイミングチャートでは、上側２段のチャートが赤外光発光部１３１１および緑光発光部１３１２が発光するタイミングを例示する。また、最下段のチャートは、受光部１３２が第１状態である期間と第２状態である期間とを例示する。
【００３９】
図４の上側２段のチャートにおいて、「ＯＮ」は発光部１３１が発光している期間を示し、「ＯＦＦ」は発光部１３１が発光していない（消灯している）期間を示す。すなわち、図４において、緑光が「ＯＮ」となっている期間は緑光発光部１３１２が発光している期間を示し、緑光が「ＯＦＦ」となっている期間は緑光発光部１３１２が発光していない期間を示す。また、図４において、赤外光が「ＯＮ」となっている期間は赤外光発光部１３１１が発光している期間を示し、赤外光が「ＯＦＦ」となっている期間は赤外光発光部１３１１が発光していない期間を示す。
【００４０】
図４の最下段のチャートにおいて、第１状態で示される矩形（図４において、斜め線で示される矩形）は、受光部１０２が緑光を受光して電流を生成可能な状態を例示する。また、第２状態で示される矩形（図４において、縦線で示される矩形）は、受光部１０２が赤外光を受光して電流を生成可能な状態を例示する。
【００４１】
図４を参照すると理解できるように、受光部１０２は、発光部１３１が緑光を発光した後に第１状態となり、発光部１３１が赤外光を発光する前に第１状態を終了する。また、受光部１０２は、発光部１３１が赤外光を発光した後に第２状態となり、発光部１３１が緑光を発光する前に第２状態を終了する。また、受光部１０２は、第１状態と第２状態との間においてはオフ状態となる。オフ状態は、受光部１０２が光を受光しても電流を生成しない状態であり、例えば、電源部１６が受光部１０２への電力の供給を停止している状態である。
【００４２】
（処理フロー）
図５は、第１実施形態に係る脈波測定装置の処理フローの一例を示す図である。図５に例示される処理フローは、例えば、ユーザが透光板１３５に指Ｆを押し当てた状態で、操作部１５を介して脈波の測定開始を指示したときに開始される。以下、図５を参照して、第１実施形態に係る脈波測定装置の処理フローの一例について説明する。
【００４３】
Ｔ１からＴ５の処理では、透光板１３５に指を押し当てる力が脈波の測定に適した強さであるか否かが判定される。Ｔ１では、ＣＰＵ１１は、制御部１３３に対して緑光の発光を指示する。制御部１３３は、発光部１３１の緑光発光部１３１２が発光するように、発光部１３１を制御する。緑光発光部１３１２は発光することで、緑光を出射する。
【００４４】
Ｔ２では、Ｔ１で出射された緑光が透光板１３５を介して指Ｆに照射される。指Ｆに照射された緑光は、一部は指Ｆ内部の毛細血管内を流れる血液に吸収される。吸収されなかった緑光の一部は、指Ｆで反射して、受光部１３２に入射する。受光部１３２は、上述のとおり、第１状態と第２状態とを時分割で切り替える。Ｔ１で緑光が出射された後のＴ２
のタイミングでは、受光部１３２は第１状態となっており、緑光の反射光の受光強度に応じた電流を出力する。
【００４５】
受光部１３２が出力した電流は、電流・電圧変換部１３４１によって電圧に変換される。電流・電圧変換部１３４１によって変換された電圧は増幅部１３４２によって増幅されてＡ／Ｄ変換部１３４３に入力される。Ａ／Ｄ変換部１３４３は、増幅部１３４２から入力される電圧を緑光の反射光の受光強度を示すデジタル信号に変換し、変換したデジタル信号をＣＰＵ１１に入力する。ＣＰＵ１１は、Ａ／Ｄ変換部１３４３からのデジタル信号を取得することで、受光部１３２が受光した緑光の反射光の受光強度を取得する。ＣＰＵ１１は、取得した緑光の反射光の受光強度が脈波の測定に好適な力で指Ｆが押し当てられていることを示す所定範囲内であるか否かを判定する。緑光の反射光の受光強度が所定範囲内である場合（Ｔ３でＹＥＳ）、処理はＴ５に進められる。緑光の反射光の受光強度が所定範囲外である場合（Ｔ３でＮＯ）、処理はＴ４に進められる。
【００４６】
Ｔ４では、ＣＰＵ１１は、透光板１３５に指を押し当てる力が適切ではない旨のメッセージを表示部１４に出力させる。ＣＰＵ１１は、例えば、Ｔ３において、指を押し当てる力が強すぎると判定した場合には、指を押し当てる力が強すぎる旨、表示部１４に出力させる。また、ＣＰＵ１１は、例えば、Ｔ３において、指を押し当てる力が弱すぎると判定した場合には、指を押し当てる力が弱すぎる旨、表示部１４に出力させる。
【００４７】
Ｔ５からＴ７の処理では、脈波の測定が実行される。Ｔ５では、ＣＰＵ１１は、制御部１３３に対して赤外光の発光を指示する。制御部１３３は、発光部１３１の赤外光発光部１３１１が発光するように、発光部１３１を制御する。赤外光発光部１３１１は発光することで、赤外光を出射する。
【００４８】
Ｔ６では、Ｔ５で出射された赤外光が透光板１３５を介して指Ｆに照射される。指Ｆに照射された赤外光は、一部は指内部の毛細血管内を流れる血液や動脈内を流れる血液に吸収される。吸収されなかった赤外光の一部は、指Ｆで反射して、受光部１３２に入射する。Ｔ５で赤外光が出射された後のＴ６のタイミングでは、受光部１３２は第２状態となっており、赤外光の反射光の受光強度に応じた電流を出力する。
【００４９】
受光部１３２が出力した電流は、電流・電圧変換部１３４１、増幅部１３４２、Ａ／Ｄ変換部１３４３を介して、赤外光の反射光の受光強度を示すデジタル信号としてＣＰＵ１１に入力される。ＣＰＵ１１は、Ａ／Ｄ変換部１３４３からのデジタル信号を取得することで、受光部１３２が受光した赤外光の反射光の受光強度を取得する。ＣＰＵ１１は、例えば、記憶部１２に記憶されたデジタル信号と脈の強度との対応関係を基に脈波を測定し、測定した脈波を示すデータを記憶部１２に格納する。
【００５０】
所定の測定期間分の脈波のデータを取得した場合（Ｔ７でＹＥＳ）、処理は終了される。所定の測定期間分の脈波のデータを取得していない場合（Ｔ７でＮＯ）、処理はＴ１に戻される。第１実施形態では、０．５秒間隔でＴ１からＴ７の処理が繰り返されることで、透光板１３５に指Ｆを押し当てる力が脈波の測定に好適な範囲内であるときに脈波の測定を行い、透光板１３５に指Ｆを押し当てる力が脈波の測定に好適な範囲から外れたときには脈波の測定を行わない。このような処理により、第１実施形態に係る脈波測定装置１は、より正確な脈波の測定を行うことが可能となる。
【００５１】
＜比較例＞
本実施形態の効果を検討するため、比較例について説明する。図６は、比較例に係る脈波測定装置の一例を示す図である。比較例に係る脈波測定装置１ａは、第１実施形態に係る脈波測定装置１とは異なり、透光板に指を押し当てる力が適切であるか否かの判定に白
色光を採用する。図６では、図１と同一の構成要素については同一の符号を付し、その説明を省略する。
【００５２】
比較例に係る脈波測定装置１ａは、測定部１３ａを有する点で、第１実施形態に係る脈波測定装置１とは異なる。測定部１３ａは、発光部１３１ａ、カメラセンサ１３２ａおよび制御部１３３を有する。
【００５３】
発光部１３１ａは、緑光を出射する緑光発光部１３１２に代えて、白色光を透光板１３５へ向けて出射する白色光発光部１３１２ａを含む点で、第１実施形態に係る発光部１３１とは異なる。発光部１３１ａは、制御部１３３からの指示により発光することで、白色光または赤外光が透光板１３５に向けて出射される。透光板１３５に押し当てられた指Ｆは、発光部１３１ａから出射された光によって照らされる。
【００５４】
カメラセンサ１３２ａは、例えば、Charge Coupled Device（ＣＣＤ）センサまたはComplementary Metal Oxide Semiconductor（ＣＭＯＳ）センサを有するデジタルカメラである。カメラセンサ１３２ａは、発光部１３１ａからの光によって照らされた状態で透光板１３５に押し当てられた指Ｆを撮影し、画像データを生成する。
【００５５】
ＣＰＵ１１ａは、例えば、制御部１３３を制御して発光部１３１ａの白色光発光部１３１２ａに白色光を出射させる。ＣＰＵ１１ａは、白色光に照らされた指の画像データをカメラセンサ１３２ａから取得する。ＣＰＵ１１ａは、取得した画像データにおける指の色を基に、透光板１３５に指を押し当てる力が適切であるか否かを判定する。
【００５６】
ＣＰＵ１１ａは、透光板１３５に指Ｆを押し当てる力が適切であると判定すると、制御部１３３を制御して発光部１３１の赤外光発光部１３１１に赤外光を出射させる。ＣＰＵ１１は、透光板１３５に押し当てられた指Ｆからの赤外光の反射光の強度に基づいて、脈波を測定する。
【００５７】
比較例では、上述の通り、透光板１３５に指Ｆを押し当てる力が適切か否かの判定に白色光が採用される。白色光は、波長が４００ｎｍから７００ｎｍ程度の広い波長帯域の光を含む。図２を参照すると理解できるように、波長が７００ｎｍ付近の光が指Ｆに照射されると、照射された光は指Ｆの内部の動脈Ｂにまで達する。そのため、白色光を照射した状態でカメラセンサ１３２ａが指Ｆを撮影すると、撮影された画像データにおける指Ｆの色では赤が強く出る傾向となる。
【００５８】
図７は、比較例における、透光板に指を押し当てる力の強さと、カメラセンサが撮影した指の色における赤色の強さと、測定される脈波との対応の一例を示す図である。図７では、上段のグラフがカメラセンサによって撮影された指Ｆの色における赤色の強さを例示し、下段のグラフが測定される脈波の波形を例示する。上段のグラフでは、縦軸が赤色の強さであり、横軸が時間である。また、下段のグラフでは、縦軸が脈の強さであり、横軸が時間である。図７では、透光板に指Ｆを押し当てる力が「弱い」場合、「適切」な場合および「強い」場合の３通りが例示される。
【００５９】
図７を参照すると理解できるように、透光板１３５に指Ｆを適切な力で押し当てた場合と、透光板１３５に指Ｆを強く押し当てた場合とでは、赤色の強さに大きな差が生じない。そのため、脈波測定装置１ａは、透光板１３５に指Ｆを押し付ける力が強すぎて指の色が赤くなる場合と、透光板１３５に指Ｆを押し付ける力が適切であっても指内部の動脈Ｂが照らされたことで指の色が赤くなる場合とを判別することが困難である。
【００６０】
また、ユーザの肌の色が濃い（肌が黒いユーザや日焼け等で肌が黒くなったユーザ等）
場合、透光板１３５に指Ｆを押し当てる力が変化しても指Ｆの色の変化が少ない。そのため、脈波測定装置１ａは、ユーザの肌の色が濃い場合、透光板１３５に指Ｆを押し当てる力が適切であるか否かを判定することが困難となる。
【００６１】
一方、第１実施形態に係る脈波測定装置１では、透光板１３５に指Ｆが押し当てられる力が適正であるか否かの判定に、指Ｆに照射した緑光の反射光強度を採用する。上述の通り、指Ｆに照射された緑光は、指Ｆの内部の毛細血管Ｍには到達するものの、毛細血管Ｍの奥に位置する動脈Ｂにはあまり到達しない。そのため、反射光強度に対する影響は動脈Ｂ内を流れる血液よりも毛細血管Ｍ内を流れる血液の方が高くなる。上述のとおり、毛細血管Ｍ内の血流量は、透光板１３５に押し当てる指Ｆの力に応じて変化する。そのため、第１実施形態に係る脈波測定装置１は、指Ｆに照射した緑光の反射光強度を基に判定することで、比較例に係る脈波測定装置１ａよりも高い精度で、透光板１３５に指Ｆを押し当てる力が適切であるか否かを判定できる。
【００６２】
また、脈波測定装置１は、透光板１３５に指Ｆを押し当てる力が適切であるか否かの判定を、指Ｆの色ではなく、反射光強度で行う。そのため、第１実施形態に係る脈波測定装置１は、指Ｆの皮膚の色が濃い場合でも、比較例よりも高い精度で判定することができる。
【００６３】
以上で開示した実施形態は、技術的な矛盾が生じない限りにおいて、種々の変更が可能である。
【００６４】
<<コンピュータが読み取り可能な記録媒体>>
コンピュータその他の機械、装置（以下、コンピュータ等）に上記いずれかの機能を実現させる情報処理プログラムをコンピュータ等が読み取り可能な記録媒体に記録することができる。そして、コンピュータ等に、この記録媒体のプログラムを読み込ませて実行させることにより、その機能を提供させることができる。
【００６５】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、Compact Disc Read Only Memory（ＣＤ−ＲＯＭ）、Compact Disc - Recordable（ＣＤ−Ｒ）、Compact Disc - ReWriterable（ＣＤ−ＲＷ）、Digital Versatile Disc（ＤＶＤ）、ブ
ルーレイディスク（ＢＤ）、Digital Audio Tape（ＤＡＴ）、８ｍｍテープ、フラッシュメモリなどのメモリカード等がある。また、コンピュータ等に固定された記録媒体としてハードディスクやＲＯＭ等がある。
【符号の説明】
【００６６】
１、１ａ・・・測定装置
１１、１１ａ・・・ＣＰＵ
１２・・・記憶部
１３、１３ａ・・・測定部
１３１、１３１ａ・・・発光部
１３１１・・・赤外光発光部
１３１２・・・緑光発光部
１３１２ａ・・・白色光発光部
１３２・・・受光部
１３２ａ・・・カメラセンサ
１３３・・・制御部
１３４・・・変換部
１３４１・・・電流・電圧変換部
１３４２・・・増幅部
１３４３・・・Ａ／Ｄ変換部
１３５・・・透光板
１４・・・表示部
１５・・・操作部
１６・・・電源部
【図１】
2020058519.tif 000003
【図２】
2020058519.tif 000004
【図３】
2020058519.tif 000005
【図４】
2020058519.tif 000006
【図５】
2020058519.tif 000007
【図６】
2020058519.tif 000008
【図７】
2020058519.tif 000009